(57)【特許請求の範囲】
【請求項１】
小指と薬指に挟まれる小指装着具であって、
前記小指の側部に接する第１の面と、前記薬指の側部に接する第２の面と、
を有し、
前記第１の面と前記第２の面は、前記小指及び前記薬指の長手方向において、互いに傾斜している、
ことを特徴とする小指装着具。
【請求項２】
前記第１の面は、前記小指を周方向に覆う第１曲面を有している、
請求項１記載の小指装着具。
【請求項３】
前記第１曲面は、前記小指が挿入可能な穴を形成する、
請求項２記載の小指装着具。
【請求項４】
前記穴が形成される周面には、前記周面の一部を前記小指の長手方向に切り欠いたスリットが形成されている、
請求項３記載の小指装着具。
【請求項５】
前記穴が形成される周面には、通気穴が形成されている、
請求項３記載の小指装着具。
【請求項６】
前記第２の面は、前記薬指の周面に接する第２曲面を有している、
請求項１乃至５記載の小指装着具。
【発明の詳細な説明】
【技術分野】
【０００１】  小指に装着することで、全身の神経伝達能力を高め、すべての身体パフォーマンスを向上させる器具である。
【背景技術】
【０００２】  身体パフォーマンスの低下を引き起こす、全身の骨・筋肉の歪み、及び脊柱内の中枢神経圧迫を解消する方法は、部分的且つ、一時的に解消することを目的としたツールしか存在していない現状に対し、尺骨神経を目覚めさせることにより前腕を始まりとする全身の歪み解消し、歪みの解消効果を永続的に享受することができるようにすること（特許文献１参照）。
【先行技術文献】
【特許文献】
【０００３】
【特許文献１】特開平７−２８９５９８号広報
【発明の概要】
【発明が解決しようとする課題】
【０００４】  従来の技術によれば、身体パフォーマンスの向上にあたって尺骨神経系の劣性による握力低下をツールによって補強することは目的としているものの、その他の身体機能への尺骨神経覚醒による機能向上に関しては全く言及していない。【０００５】  そこで、この発明は、尺骨神経系の劣性のもたらす、前腕の歪みをはじまりとする全身の骨・筋肉の歪みを解消し、脊柱の配列を整えることにより、その中を通る中枢神経の指令が身体の各機関に正確に届くようにし、身体の不調を取り除くこと、及びこの達成により、身体が持つ本来の全身の筋肉連動を回復させ、さらに活動時における全身の筋肉を上手に使った最大パフォーマンスを引き出すことを課題とする。【０００６】また、これにより、内臓器官もその本来のポジションに配置されると同時に、指令が正確に届くようになることで、内臓機能が向上し基礎代謝量が増える。この増強についても課題とする。さらに筋肉から、脳へのフィードバックでの指示が出ることから、認知症など脳の問題を末梢神経に刺激を与えて改善することも課題とする。
【課題を解決するための手段】
【０００７】  以上の課題を解決するために、第一発明は、小指と薬指に挟まれる小指装着具であって、前記小指の側部に接する第１の面と、前記薬指の側部に接する第２の面と、を有し、前記第１の面と前記第２の面は、前記小指及び前記薬指の長手方向において、互いに傾斜している、ことを特徴とする。
【発明の効果】
【００１１】  これらの発明によれば、小指と薬指の間でものを挟むことにより尺骨神経系が活性化し、身体パフォーマンスの低下を引き起こす前腕をはじまりとする全身の歪みを解消し、すべての身体パフォーマンスの向上を達成することができる。【００１２】  閉眼片足立ちの体勢保持の持続時間が増す。これは、脊柱が正しく配列されたことによる、体中心軸の安定がもたらす効果であり、体力の低下した年配の方が装着することにより、転倒等による怪我を防ぐことができる。またフィギュアスケートにおける回転ジャンプ等においても、身体の軸が取れることからよりよいパフォーマンスを安定して引き出すことができる。脊柱の歪みが原因となっている腰痛や肩こりも、解消することができる。【００１３】  ランニングの際に、腕の振りが安定し、上半身と下半身を連動させた走りが可能となる。これは、肩甲骨周りの筋肉が活性化したことにより、腕を身体の後ろへ引く動作が安定することによる効果である。この効果は歩行時にも実感できる。マラソンや、短距離走といった走りそのものの能力を競う競技はもちろん、サッカー等の全身持久力を必要とする競技でもこの効果を享受することができる。【００１４】  エアロビクス、筋力トレーニング、ヨガ、ピラティスなど、筋肉をつける、身体の歪みを解消する、神経伝達速度を引き上げることを目的とする、身体の機能を高めるトレーニングを行う際に装着することで、正しい骨の配置、筋肉の配置、神経の配置を引き出し、そのトレーニング効果を最大限享受することができる。【００１５】  年齢を問わず、日常生活において装着することで、適宜、適切な身体コントロールを行えるようになる。これにより、必要な筋力、神経系の発達が自然にもたらされる。【００１６】  このツールは、装着者が、解剖学上正しい姿勢を考えずともとれるように設計されており、これにより、脊柱内の中枢神経を解剖学上適切なポジションに配置する。また、内臓器官もその本来のポジションに配置されると同時に、指令が正確に届くようになることで、内臓機能が向上し基礎代謝量が増える。【００１７】  よって、全身の骨・筋肉の歪み、及び脊柱内の神経圧迫を解消し、身体の持つ本来の全身の筋肉連動を回復させ、腰痛・肩こりはじめとするあらゆる身体不調を取り除くことができる。また、身体の不調を取り除き、その機能を高めることから、スポーツのスキル向上はもちろん、年配者の機能改善のためのリハビリテーション、歩行やランニング、ウェイトトレーニング、ピラティス、ヨガ等を含むすべての身体活動時における最大パフォーマンスを引き出し、そのトレーニング効果をより高レベルで享受することを可能とする。【００１８】  身につけることに年齢制限は全くない。安全であり、誰でもできる。スペースすら必要ない。時間をとる必要がない、いつでもできる。考えることもない。（自然に身体が考える、身体が反応する。）【００１９】  また筋肉から、脳へのフィードバックでの指示が出ることから、認知症など脳の問題に対して、末梢神経から機能の低下した中枢神経に刺激を与えることにより、機能低下の起きている部分の覚醒および機能改善を達成することも可能である。
【図面の簡単な説明】
【００２０】
【図１】この発明の第一実施形態を示す斜視図である。
【図２】この発明の第二実施形態を示す斜視図である。
【図３】この発明の第三実施形態を示す斜視図である。
【図４】この発明の第四実施形態を示す斜視図である。
【図５】図１に示す実施形態の一変形例を示す斜視図である。
【図６】図１に示す実施形態の他の変形例を示す斜視図である。
【図７】図３に示す実施形態の一変形例を示す斜視図である。
【図８】図４に示す実施形態の一変形例を示す斜視図である。
【図９】図４に示す実施形態の他の変形例を示す斜視図である。
【図１０】実際に小指にした状態を示す斜視図である。
【発明を実施するための形態】
【００２１】  図１に示す小指装着具は、本体１と、本体１の中心部長手方向に開けた穴２と本体１の側面の長手方向に形成された切り欠き３とから形成される。尚、上記本体の原材料は、どんな素材であってもかまわない。挟む際に力の加減をしやすいため、スポンジやゴム製のものが好ましい。硬質なプラスチックなども可能。
【００２２】  この実施形態によれば、小指装着具を小指にかぶせることで、小指と薬指の間でものを挟む、という意識づけがされやすく、挟む行為が達成されることで尺骨神経が活性化する。この状態で、背筋を伸ばしてから、適宜、改善したい身体パフォーマンスに近い身体動作（肩を回す。肩を上げ下げする。肘の曲げ、伸ばし。その場で足踏み。体前屈、体後屈、体側屈、首の回旋など。）を行うことで前腕をスタートとする全身の歪みを改善できる。また装着したままでの身体パフォーマンスの反復練習は同様の歪み改善効果を引き出すことができる。
【００２３】  尺骨神経の劣性のもたらす、前腕の歪みをはじまりとする全身の骨・筋肉の歪みが解消され、脊柱の配列は整い、その中を通る中枢神経の指令が身体の各機関に正確に届くようになることで身体の不調を取り除くことが達成され、また、身体が持つ本来の全身の筋肉連動を回復させ、さらに活動時における全身の筋肉を上手に使った最大パフォーマンスを引き出すことが可能となる。
【００２４】  内臓器官もその本来のポジションに配置されると同時に、指令が正確に届くようになることで、内臓機能が向上し基礎代謝量が増える。さらに、筋肉から脳へのフィードバックでの指示が出ることから、認知症など脳の問題へのアプローチも可能である。
【００２５】  図２に示す小指装着具は、本体１の中心部長手方向に開けた穴と本体１の側面の長手方向に形成された切り欠き３とが傾斜していることにより、装着する小指と挟む薬指の間の空間を埋めることに適した構造をしていることを特徴とする。
【００２６】  このため、装着者が、本体１を小指と薬指で挟みやすくなることから、無駄な意識・力が抜くことができ、尺骨神経のみをより活性化する効果が得られる。使用方法は上記に同じ。
【００２７】  図３に示す小指装着具は、本体１の切り欠け３以外の側面が平面構造をとることから、装着時に手を床に着く際に、支持面積が増えることを特徴とする。このため、装着者の体勢が安定し、無駄な意識・力を抜くことができることから、尺骨神経のみをより活性化する効果が得られる。使用方法は上記に同じ。
【００２８】    図４に示す小指装着具は、本体１の切り欠き３を設けた側面と異なる側面にスリット４を設けたことを特徴とする。このスリットから、換気がされることで、蒸れることなく長時間の装着が可能となる。使用方法は上記に同じ。
【００２９】  図５は、図１に示した小指装着具において、本体１の側面に穴２と連通する空気孔５を形成したものである。この孔から、換気がされることで、蒸れることなく長時間の装着が可能となる。使用方法は上記に同じ。
【００３０】  図６は、図１に示した小指装着具において、本体１とブレスレット６を、ひも７によりつなぐこと特徴とする。このため、穴２の内部が汗等で滑りやすくなり、本体１が外れてしまった場合であっても取り落とすことなく使用することができる。使用方法は上記に同じ。
【００３１】  図７は、図３に示した小指装着具において、切り欠き３を穴２と同様の構造に変更したことを特徴とする。このため、装着者が、本体１を小指と薬指で挟みやすくなることから、無駄な意識・力が抜くことができ、尺骨神経のみをより活性化する効果が得られる。使用方法は上記に同じ。
【００３２】  図８は、図４に示した小指装着具において、穴２とスリット４を単一の構成要素に変更したことを特徴とする。このため、さらに換気がされることで、蒸れることなく長時間の装着が可能となる。使用方法は上記に同じ。
【００３３】  図９は、図４に示した小指装着具において、穴２を小指の第三関節部分のみとし、小指の第一関節及び第二関節部分においては、穴２とスリット４を単一の構成要素としたことを特徴とする。これにより、換気による蒸れの防止を達成すると同時に、本体１が小指から外れづらく、取り落とす可能性を低くすることができる。使用方法は上記に同じ。
【００３４】  図１０は、図１の実施形態を実際に小指に装着したところを示す。穴２に小指を差し込み、切り欠き３に薬指をあてがった状態である。
【符号の説明】
【００３５】１  指装着具本体
２  穴
３  切り欠き
４  スリット
５  空気孔
６  ブレスレット
７  ひも
【図１】
0005500390.tif 000002
【図２】
0005500390.tif 000003
【図３】
0005500390.tif 000004
【図４】
0005500390.tif 000005
【図５】
0005500390.tif 000006
【図６】
0005500390.tif 000007
【図７】
0005500390.tif 000008
【図８】
0005500390.tif 000009
【図９】
0005500390.tif 000010
【図１０】
0005500390.tif 000011